(57)【要約】【課題】  清掃装置に粘着ロールを取付けたまま、粘着ロールの使用済粘着シートを剥離除去可能にすること。【解決手段】  フレーム１５にカバー６２を支持し、カバー６２によって粘着ロール７０を被覆可能にし、粘着ロール７０に接触する被清浄部を該粘着ロール７０によって清浄にする清掃装置１０であって、カバー６２をフレーム１５に対して変位させることにより、粘着ロール７０を該カバー６２とともに被清浄部から離間して外界に臨ませるもの。【選択図】  図１
2010188215.tif 000002
【特許請求の範囲】
【請求項１】
フレームにカバーを支持し、カバーによって粘着ロールを被覆可能にし、粘着ロールに接触する被清浄部を該粘着ロールによって清浄する清掃装置であって、
カバーをフレームに対して変位させることにより、粘着ロールを該カバーとともに被清浄部から離間して外界に臨ませる清掃装置。
【請求項２】
前記カバーをフレームに対して回転可能にする請求項１に記載の清掃装置。
【請求項３】
前記カバーの回転軸をフレームに支持し、粘着ロールのためのロール支軸をカバーに設け、粘着ロールが被清浄部に接触する状態で、カバーの回転軸よりロール支軸を被清浄部寄りに設けてなる請求項２に記載の清掃装置。
【請求項４】
前記カバーをフレームに対して平行移動可能にする請求項１に記載の清掃装置。
【請求項５】
前記カバーの相対する側壁の一方に固定側ロール支軸を設け、他方にスライド側ロール支軸を設け、粘着ロールの端面に当たってスライドできるスライドプレートをスライド側ロール支軸に設けた請求項１〜４のいずれかに記載の清掃装置。
【発明の詳細な説明】
【技術分野】
【０００１】
本発明は清掃具等の清掃装置に関する。
【背景技術】
【０００２】
清掃具として、特許文献１に記載の如く、フレームに床面のゴミを掻き上げる掻き上げロールと、掻き上げロールが掻き上げたゴミを捕捉する粘着ロールとを有するものがある。粘着ロールは、掻き上げロールとこれに相並ぶ回転体とに跨るように載せ置かれ、回転体の回転に連れ回りつつゴミを捕捉する。
【先行技術文献】
【特許文献】
【０００３】
【特許文献１】特開2004-230083
【発明の概要】
【発明が解決しようとする課題】
【０００４】
特許文献１では、フレームの窓枠両側部に設けたロール支軸に粘着ロールを回転自在に支持し、この粘着ロールを外界に対して覆うカバーをフレームに回転自在に設けている。そこで、粘着ロールを清掃具から外さないで、粘着ロールの使用済粘着シートの１周巻き分を剥離除去するときには、カバーを回転させて開き、粘着ロールのシート端を引張り、粘着ロールを掻き上げロールと回転体の上で１回転させることになる。
【０００５】
しかしながら、粘着ロールは掻き上げロールと回転体に粘着しており、粘着ロールを床面との摩擦により止まっている掻き上げロールと回転体に対して無理矢理回転させる必要があり、粘着シートの剥離除去性が悪い。
【０００６】
本発明の課題は、清掃装置に粘着ロールを取付けたまま、粘着ロールの使用済粘着シートを剥離除去可能にすることにある。
【課題を解決するための手段】
【０００７】
請求項１の発明は、フレームにカバーを支持し、カバーによって粘着ロールを被覆可能にし、粘着ロールに接触する被清浄部を該粘着ロールによって清浄する清掃装置であって、カバーをフレームに対して変位させることにより、粘着ロールを該カバーとともに被清浄部から離間して外界に臨ませるようにしたものである。
【０００８】
請求項２の発明は、請求項１の発明において更に、前記カバーをフレームに対して回転可能にするようにしたものである。
【０００９】
請求項３の発明は、請求項２の発明において更に、前記カバーの回転軸をフレームに支持し、粘着ロールのためのロール支軸をカバーに設け、粘着ロールが被清浄部に接触する状態で、カバーの回転軸よりロール支軸を被清浄部寄りに設けてなるようにしたものである。
【００１０】
請求項４の発明は、請求項１の発明において更に、前記カバーをフレームに対して平行移動可能にするようにしたものである。
【００１１】
請求項５の発明は、請求項１〜４のいずれかの発明において更に、前記カバーの相対する側壁の一方に固定側ロール支軸を設け、他方にスライド側ロール支軸を設け、粘着ロールの端面に当たってスライドできるスライドプレートをスライド側ロール支軸に設けたものである。
【発明の効果】
【００１２】
（請求項１）
(a)清掃装置に粘着ロールを取付けたまま、粘着ロールの使用済粘着シートを剥離除去するに際しては、カバーをフレームに対して変位させることにより、粘着ロールを被清浄部から離して外界に臨ませる。粘着ロールのシート端を引張れば、粘着ロールはロール支軸に対して回転し、１周巻き分の使用済粘着シートを剥離除去できる。このとき、粘着ロールは外界に臨み、かつ被清浄部と非接触にされてスムースに回転できるから、使用済粘着シートの剥離除去性は良い。
【００１３】
（請求項２）
(b)カバーをフレームに対して回転させることにより、粘着ロールを清掃装置に取付けたまま簡易に被清浄部に対し非接触にして外界に臨ませることができる。
【００１４】
（請求項３）
(c)カバーに設けられる粘着ロールのロール支軸を、カバーの回転軸に対して偏心させた。これにより、カバーを回転させることにより、粘着ロールを被清浄部に対し非接触にして外界に臨ませることができる。
【００１５】
（請求項４）
(d)カバーをフレームに対して平行移動させることにより、粘着ロールを清掃装置に取付けたまま簡易に外界に臨ませることができる。
【００１６】
（請求項５）
(e)カバーの相対する側壁の一方に固定側ロール支軸を設け、他方にスライド側ロール支軸を設け、粘着ロールの端面に当たってスライドできるスライドプレートをスライド側ロール支軸に設けたから、粘着ロールは安定確実に着脱できる。
【図面の簡単な説明】
【００１７】
【図１】図１は清掃具を示す断面図である。
【図２】図２は清掃具の前進状態を示す側面図である。
【図３】図３は清掃具の後退状態を示す側面図である。
【図４】図４は清掃具を示す正面図である。
【図５】図５は図４のV−V線に沿う断面図である。
【図６】図６は塵取部の後蓋閉じ状態を示す斜視図である。
【図７】図７は塵取部の後蓋開き状態を示す斜視図である。
【図８】図８は塵取部の後蓋係止解除状態を示す断面図である。
【図９】図９は塵取部の後蓋開き状態を示す断面図である。
【図１０】図１０は粘着ロールホルダのカバー閉じ状態を示す斜視図である。
【図１１】図１１は粘着ロールホルダのカバー開き状態を示す斜視図である。
【図１２】図１２は粘着ロールホルダのカバー閉じ状態を示す断面図である。
【図１３】図１３は粘着ロールホルダのカバー開き状態を示す断面図である。
【図１４】図１４は粘着ロールのセット状態を示す断面図である。
【図１５】図１５は粘着ロールの着脱状態を示す断面図である。
【図１６】図１６は粘着ロールホルダのカバー閉じ状態を示す斜視図である。
【図１７】図１７は粘着ロールホルダのカバー開き状態を示す斜視図である。
【図１８】図１８は粘着ロールホルダのカバー閉じ状態を示す断面図である。
【図１９】図１９は粘着ロールホルダのカバー開き状態を示す断面図である。
【図２０】図２０は粘着ロールのセット状態を示す断面図である。
【図２１】図２１は粘着ロールの着脱状態を示す断面図である。
【図２２】図２２は粘着ロールホルダのカバー開き状態を示す斜視図である。
【図２３】図２３は図２２の要部断面図である。
【図２４】図２４は粘着ロールホルダのカバー開き状態を示す斜視図である。
【図２５】図２５は清掃装置を示す模式図である。
【発明を実施するための形態】
【００１８】
（実施例１）
清掃具１０は、床面１等の清掃面上のゴミ、例えば大粒、小粒の粒ゴミ、又はカーペット等の繊維に絡み付いた髪の毛等のゴミを捕集するものであり、図１〜図６に示す如く、柄１１の先端部に左右揺動軸１２を介して支持アーム１３を清掃方向に交差する左右方向に揺動自在に結合し、支持アーム１３の両側アーム部１３Ａに前後揺動軸１４を介してフレーム１５を清掃方向に沿う前後方向に揺動自在に支持している。
【００１９】
清掃具１０は、床面１と接しながら回転する硬質の左右前輪２１と左右後輪２２（接地部）をフレーム１５の前後の両側部に回転自在に設ける。尚、前輪２１の回転軸２１Ａは、図３に示す如く、フレーム１５の清掃方向の前後に沿って設けた長孔１５Ａに支持され、前輪２１は前進時には長孔１５Ａの後方側に、後進時には長孔１５Ａの前方側に位置付けられる。清掃具１０は、床面１に摺接する硬質シューを接地部として設けるものでも良い。
【００２０】
清掃具１０は、フレーム１５の清掃方向に沿う前後に弾性押さえロール３０（清掃ロール）と弾性掻き上げロール４０を平行に並べて配置し、それら両ロール３０、４０を前輪２１と後輪２２の接地線（前輪２１の接地点と後輪２２の接地点を結ぶ直線）よりも外方（床面に入る側）へ張り出る大径にする。
【００２１】
押さえロール３０は、フレーム１５のゴミ導入側に配置され、の清掃方向に直交する横方向において、左右の前輪２１、後輪２２に挟まれる概ね全域に渡って床面１に接する範囲で、フレーム１５に支持される前輪２１の回転軸２１Ａに支持され、床面１に接しながら回転する。押さえロール３０は、前輪２１の回転力により同軸駆動されるものであり、前輪２１の回転軸２１Ａに固定的に結合されても良いが、床面１と掻き上げロール４０に対して大きくこすれ回転することのないように、回転軸２１Ａに摩擦接触して駆動される。押さえロール３０は、床面１に接する少なくとも表面を弾性たわみできる材質（弾性可撓材料）にて構成する。押さえロール３０としては、筒状のスポンジロール、可撓プラスチックロール、ゴムロール、ブラシロール等を採用できるが、スポンジロール等のクッションロールが好適である。
【００２２】
掻き上げロール４０は、フレーム１５の押さえロール３０に対するゴミ導入側と反対側に配置され、清掃方向に直交する横方向において、押さえロール３０に相並ぶ範囲で、フレーム１５の両側部に支持される左右伝動輪４１の回転軸４１Ａに支持され、床面１に接しながら回転する。左右の各伝動輪４１は、左右の各前輪２１の後方に回転自在に支持され、前進時の前輪２１に接して該前輪２１に連れ回り駆動される（図２）。前輪２１に同軸駆動される押さえロール３０と、前輪２１に伝動輪４１を介して駆動される掻き上げロール４０とは、互いに反対回転するものになる。尚、後退時の前輪２１は、前述した如く、フレーム１５に設けた長孔１５Ａの前方側に移動し、伝動輪４１から離れるため、伝動輪４１を連れ回り駆動させることがない（図３）。掻き上げロール４０は、床面１に接する少なくとも表面を弾性たわみできる材質（弾性可撓材料）にて構成する。掻き上げロール４０としては、筒状のスポンジロール、可撓プラスチックロール、ゴムロール、ブラシロール等を採用できるが、押さえロール３０を構成するスポンジロールとの組合せにおいて、ブラシロールが好適である。
【００２３】
清掃具１０は、押さえロール３０の半径と掻き上げロール４０の半径の和を、フレーム１５に支持されたそれら両ロール３０、４０の軸間距離より大きくし、結果としてそれら両ロール３０、４０をそれらの接触部の弾性たわみ変形によって互いに食い込ませ接触させる接触部を形成し、該接触部の下端から床までの高さを押さえロール３０が取り込もうとするゴミの大きさより小さくする（図１）。
【００２４】
清掃具１０は、床面１に前輪２１と後輪２２を接触させながら回転させる清掃時に、図１に示す如く、床面１に接する押さえロール３０と掻き上げロール４０を床面１との接触部で前輪２１と後輪２２の接地線よりも張り出た大外径部分を大きく弾性たわみ変形させるとともに、それら両ロール３０、４０を互いに概ね同一周速で反対回転させる。両ロール３０、４０は互いに食い込み、かつ床面１に対して大きく弾性たわみ変形して食い込み、また押さえロール３０に対して掻き上げロール４０の径を小さくし、両ロール３０、４０の会合点Ａと床面１との間に側面視三角形状のデッドスペース（隙間）を概ねなくし、両ロール３０、４０は床面１上で概ね隙間なく会合する。
【００２５】
従って、清掃具１０による清掃時に、押さえロール３０は床面１に対して大きくこすれずに回転しつつ床面１上のゴミを逃げないように押さえ込む。押さえロール３０を変形させて後方に導かれた床面１上のゴミを、押さえロール３０と掻き上げロール４０の間に挟みとり、両ロール３０、４０の回転によって床面１より上方に導いて、挟み力が解除された後に押さえロール３０の弾性復元力、及び／又は掻き上げロール４０の弾性復元力によってはじき飛ばして捕集する。即ち、押さえロール３０が押さえた床面１上のゴミは該押さえロール３０と掻き上げロール４０の会合点Ａでそれら両ロール３０、４０の間に挟み取られて床面１からつまみ上げられ、それら両ロール３０、４０の離隔点Ｂで押さえロール３０の弾性復元力により押し出されるとともに、掻き上げロール４０の弾性復元力により弾き飛ばされる。このゴミは、後述する塵取部５０に捕集される。
【００２６】
清掃具１０は、具体例として示せば、図２に示す如く、押さえロール３０の直径を40mm（前輪２１の直径を34mm）、掻き上げロール４０の直径を25mm、押さえロール３０と掻き上げロール４０の軸間距離Ｌを25mm、伝動輪４１の直径を16mm、両ロール３０、４０を床面１に食い込ませたときの両ロール３０、４０の中心軸と床面１との距離Ｈを8〜10mmとする。
【００２７】
清掃具１０は、押さえロール３０としてクッションロールを用いるとき、押さえロール３０の表面のクッション部の厚みを好適には5mm以上にし、押さえロール３０の軸芯を除く全体をクッション部とするものでも良い。
【００２８】
清掃具１０は、図１に示す如く、フレーム１５における掻き上げロール４０に対する清掃方向の後部に（ゴミ導入側と反対側に）塵取部５０（ゴミ捕集部）を配置する。塵取部５０は、フレーム１５と一体の箱状のゴミ受け部５１を有し、ゴミ受け部５１の前方下部から下ゴミ止め部５２を立ち上げ、前方上部に上ゴミ止め部５３を設ける。下ゴミ止め部５２は掻き上げロール４０の外周に沿う円弧状をなし、上ゴミ止め部５３は後述する粘着ロールホルダ６０の回転カバー６２の回転によって進入する際の外周に沿う円弧状をなし、上ゴミ止め部５３の下縁は押さえロール３０の外周に近接する。下ゴミ止め部５２の上縁と上ゴミ止め部５３の下縁の間をゴミ送り間隔（ゴミ送り込み口）５４とする。押さえロール３０と掻き上げロール４０に弾き飛ばされたゴミは、ゴミ送り込み口５４経由でゴミ受け部５１に捕集される。
【００２９】
塵取部５０は、ゴミ受け部５１の後部開口５１Ａに後蓋５５を開閉自在に備える。後蓋５５は、ゴミ受け部５１の後方下部に設けた支軸５５Ａに下端部を揺動自在に支持し、上端部に係止レバー５６を備える。係止レバー５６は、不図示のばね力によりゴミ受け部５１の後方上部に設けた係止爪５７に係止し（図１、図６）、手動操作によって回動されて係止爪５７との係止を解除する（図８）。塵取部５０へのゴミ捕集時には、後蓋５５によりゴミ受け部５１の後部開口５１Ａを閉じ、ゴミ払い出し時には、係止レバー５６により開き操作される後蓋５５によりゴミ受け部５１の後部開口５１Ａを開き（図７、図９）、後部開口５１Ａからゴミ除去する。塵取部５０のゴミ受け部５１、後蓋５５等は、ゴミの捕集状態を視認できるような透明材料にて構成されるのが良い。
【００３０】
清掃具１０は、フレーム１５における押さえロール３０の上部に粘着ロールホルダ６０を設け、押さえロール３０の上方に粘着ロール７０を載置する。粘着ロール７０は、粘着ロールホルダ６０の後述する両ロール支軸６３、６４に径方向遊びをもってセットされながら、押さえロール３０の上方に載置され、清掃時に押さえロール３０の外周に接しながら押さえロール３０の回転に連れ回る。粘着ロール７０は、粘着シート７１の巻取りロールの構成、又は表面が粘着性のエラストマーからなり、その表面を洗浄して再使用可能にする構成を含む。本実施例の粘着ロール７０は、粘着シート７１をコア７２に巻き回し、粘着シート７１の粘着面を外側に向けて巻出し可能にかつ切断可能にした巻取りロールにて構成される。粘着ロール７０は押さえロール３０の回転に連れ回りつつ、押さえロール３０(被清浄部)の表面に巻きついた髪の毛等のゴミを粘着捕捉して清浄化する。
【００３１】
粘着ロールホルダ６０は、図１４、図１５に示す如く、フレーム１５の前方上面で清掃方向に直交する横方向において、押さえロール３０に相並ぶ範囲に渡る、概ね矩形枠状をなす窓枠６１を設け、この窓枠６１の左右両側部内面に回転カバー６２を回転可能に設ける。回転カバー６２は、半円弧状断面又はＵ字状断面等の透明材料からなる略半割筒状体をなし、両側壁を有する。回転カバー６２の左右一方の側壁に固定側ロール支軸６３を設けるとともに、左右他方の側壁にスライド側ロール支軸６４を設け、両ロール支軸６３、６４に粘着ロール７０のコア７２を回転自在に支持する。
【００３２】
粘着ロールホルダ６０にあっては、固定側ロール支軸６３が回転カバー６２の一方の側壁を貫通し、窓枠６１の一方の側壁に挿通した固定ピン６５を固定側ロール支軸６３に螺着し、固定側ロール支軸６３を固定する。回転カバー６２は窓枠６１と固定側ロール支軸６３の間で隙間を有し、固定側ロール支軸６３に対して軽く回転できる。また、スライド側ロール支軸６４は窓枠６１の他方の側壁、回転カバー６２の他方の側壁を貫通し、その貫通端にスペーサ６６、コイルばね６７、スライドプレート６８を挿入後、固定ピン６９をスライド側ロール支軸６４に螺着し、スライド側ロール支軸６４を固定する。
【００３３】
粘着ロールホルダ６０は、押さえロール３０と粘着ロール７０をフレーム１５に支持された状態を維持して両ロール３０、７０の接触状態と非接触状態を切り替える隔離手段を構成する。具体的には、粘着ロールホルダ６０は、回転カバー６２の回転支軸としてのピン６５と支軸６４を、ロール支軸６３、６４と同芯にし、回転カバー６２をそれらの回転支軸まわりで開閉回転できる。
【００３４】
回転カバー６２は、図１０、図１２に示す如く、回転カバー６２の半円弧状断面又はＵ字状断面等の半割断面の前縁フランジ６２Ａを窓枠６１の前部上縁に当接する閉じ位置に位置付けられた状態で、窓枠６１を閉じ、両ロール支軸６３、６４に支持されている粘着ロール７０を覆い、両ロール３０、７０を接触状態にする。他方、図１１、図１３に示す如く、回転カバー６２の前縁フランジ６２Ａを窓枠６１の後部上縁に当接する開き位置に位置付けられた状態で、窓枠６１を開き、回転カバー６２を押さえロール３０と粘着ロール７０の間に介在して粘着ロール７０を外界に臨ませ、両ロール３０、７０を非接触状態にし、両ロール支軸６３、６４に新旧粘着ロール７０のコア７２を着脱し、又は両ロール支軸６３、６４にセットされている粘着ロール７０の使用済粘着シート７１を剥離除去可能にする。即ち、回転カバー６２は閉じ位置から開き位置へ移行するとき、回転カバー６２の前縁フランジ６２Ａと反対側の後縁部を押さえロール３０の上部外周にめり込ませ、これによって弾性たわみ変形せしめられた押さえロール３０の上部外周と粘着ロール７０の間に介在する。即ち、回転カバー６２は、押さえロール３０を変形させて両ロール３０、７０を接触状態と非接触状態に切り替える。これにより、回転カバー６２を開き状態にして、両ロール支軸６３、６４にセットされている粘着ロール７０の粘着シート７１の使用済の１周巻き分を剥離除去しようとするとき、粘着シート７１を押さえロール３０の外周に粘着させずにスムースに剥離できる。粘着シート７１の剥離端は、回転カバー６２の前縁又は後縁のエッジを用いて切断できる。
【００３５】
粘着ロールホルダ６０は、粘着ロール７０を両ロール支軸６３、６４にセットした状態で、図１４に示す如く、スライドプレート６８をコイルばね６７により固定ピン６９のフランジ側に押付け、スライドプレート６８とこれに相対する窓枠６１の一方の側壁との間隔を小さくし、粘着ロール７０が固定ピン６９から外れる軸方向ずれを防止する。他方、粘着ロール７０を両ロール支軸６３、６４から外すときには、図１５に示す如く、粘着ロール７０をスライドプレート６８の側に押す（Ｐ1）ことで、コイルばね６７を圧縮し、スライドプレート６８を窓枠６１の他方の側壁の側にスライドさせ、スライドプレート６８とこれに相対する窓枠６１の一方の側壁との間隔を大きくし、固定側ロール支軸６３側の粘着ロール７０の一端を持ち上げる（Ｐ2）ことで、粘着ロール７０を外す（粘着ロール７０を両ロール支軸６３、６４に取付ける場合も同じ）。
【００３６】
清掃具１０による清掃動作は以下の如くなされる。
(1)清掃具１０が柄１１に加える押付け操作力により前輪２１と後輪２２を床面１に押付けて前進せしめられると、前輪２１がフレーム１５の長孔１５Ａの後方側に移動して伝動輪４１にしっかり接し、前輪２１の回転力によって直に押さえロール３０を回転させるとともに、前輪２１の回転力を伝動輪４１経由で掻き上げロール４０に伝え、掻き上げロール４０を押さえロール３０と反対方向に回転させる。
【００３７】
このとき、両ロール３０、４０は互いに食い込み、かつ床面１に接地する両ロール３０、４０の外径部分を大きく弾性たわみ変形させ、特に前輪２１の回転軸２１Ａと一緒に後方に移動するスポンジ製押さえロール３０が床面１との接触により後方に引きずられて掻き上げロール４０との隙間を殆どなくす。
【００３８】
これにより、両ロール３０、４０の会合点Ａと床面１との間に側面視三角形状のデッドスペースを概ねなくし、両ロール３０、４０は床面１上で概ね隙間なく会合する。
【００３９】
(2)上述(1)により、押さえロール３０は床面１に対して大きくこすれずに回転しつつ床面１上のゴミを逃げないように押さえ込む。押さえロール３０が押さえた床面１上のゴミは該押さえロール３０と掻き上げロール４０の会合点Ａでそれら両ロール３０、４０の間に挟み取られて床面１からつかみ上げられ、それら両ロール３０、４０の離隔点Ｂで押さえロール３０の弾性復元力により押し出されるとともに、掻き上げロール４０の弾性復元力により弾き飛ばされ、ゴミ送り込み口５４経由で塵取部５０のゴミ受け部５１に捕集される。
【００４０】
同時に、押さえロール３０の表面に巻き付いた髪の毛等のゴミが、押さえロール３０の上の粘着ロール７０の粘着シート７１に粘着捕捉される。
これにより、小さな紙片やスパゲッティ等の細長いゴミも捕集される。
【００４１】
(3)清掃具１０が後退せしめられるときには、床面１１からの押付け操作力が解放されて押さえロール３０と掻き上げロール４０が床面１に対する反発力が前輪２１を床面１から浮かし、また前輪２１がフレーム１５の長孔１５Ａの前方側へ移動して伝動輪４１から離れ、押さえロール３０と掻き上げロール４０が逆回転しない。従って、塵取部５０のゴミ受け部５１に取り込んだゴミを、押さえロール３０と掻き上げロール４０の逆転によりゴミ受け部５１から吐き出すことがない。
【００４２】
(4)塵取部５０のゴミ受け部５１に多量のゴミがたまったことを視認したら、後蓋５５を開いてゴミ受け部５１の後部開口５１Ａからゴミを除去する。
【００４３】
(5)粘着ロール７０の粘着シート７１に多量のゴミが捕捉されたことを視認したら、粘着ロールホルダ６０の回転カバー６２を開き、１周巻き分の粘着シート７１を剥離切断除去し、新規粘着面を露出せしめる。
【００４４】
本実施例によれば以下の作用効果を奏する。
(a)清掃具１０に粘着ロール７０を取付けたまま、粘着ロール７０の使用済粘着シート７１を剥離除去するに際しては、粘着ロールホルダ６０の回転カバー６２を開き位置に位置付けることにより、回転カバー６２を押さえロール３０と粘着ロール７０の間に介在させ、粘着ロール７０を押さえロール３０から離して外界に臨ませる。粘着ロール７０のシート端を引張れば、粘着ロール７０はロール支軸６３、６４に対して回転し、１周巻き分の使用済粘着シート７１を剥離除去できる。このとき、粘着ロール７０は、回転カバー６２の介在により押さえロール３０から隔離されており、スムースに回転できるから、使用済粘着シート７１の剥離除去性は良い。
【００４５】
(b)回転カバー６２をフレーム１５に対して回転させることにより、粘着ロール７０を清掃具１０に取付けたまま簡易に押さえロール３０に対し非接触にして外界に臨ませることができる。
【００４６】
(c)回転カバー６２の相対する側壁の一方に固定側ロール支軸６３を設け、他方にスライド側ロール支軸６４を設け、粘着ロール７０の端面に当たってスライドできるスライドプレート６８をスライド側ロール支軸６４に設けたから、粘着ロール７０は安定確実に着脱できる。
【００４７】
尚、本実施例によれば以下の作用効果も奏する。
(a)押さえロール３０としてクッションロールを用いており、押さえロール３０のクッション部の厚みを最大径とする大きなゴミも小さなゴミもクッション部の変形によって包み込み、掻き上げロール４０の側に導き、押さえロール３０と掻き上げロール４０によって挟み込むから、清掃面にある大小様々のゴミをもらさず捕集することができる。
【００４８】
(b)押さえロール３０と掻き上げロール４０が互いに食い込んで接触する接触部を形成し、接触部の下端から床までの高さが取り込もうとするゴミの大きさより小さい。従って、ゴミは、押さえロール３０と掻き上げロール４０の接触部に必ず挟み込まれ、床面上の一定以上の大きさのゴミを捕集することができる。
【００４９】
(c)押さえロール３０に対して掻き上げロール４０の径を小さくすることにより、掻き上げロール４０と押さえロール３０と床面の間の隙間を小さくし、床面上のゴミを押さえロール３０と掻き上げロール４０によって挟み込み易くする。
【００５０】
(d)掻き上げロール４０及び／又はクッションロールが弾性たわみ変形によって床面に食い込むようにしたから、床面上のゴミを押さえロール３０と掻き上げロール４０によって挟み込み易くする。
【００５１】
(e)押さえロール３０の上方に粘着ロール７０を配置し、清掃時に両ロール３０、７０が接触して一緒に回転するようにしたから、押さえロール３０の回転に粘着ロール７０を連れ回り回転させて駆動できる。粘着ロール７０の駆動ロールを格別に必要としない。塵取部５０等のゴミ回収スペースを大きくとることができる。
【００５２】
(f)押さえロール３０と掻き上げロール４０によって挟み込まれた後に押さえロール３０及び／又は掻き上げロール４０の弾性復元力で弾き飛ばされるゴミを、掻き上げロール４０の後部の（ゴミ導入側と反対方向にある）塵取部５０に回収できる。
【００５３】
(g)押さえロール３０と掻き上げロール４０が互いに食い込み、かつ床面１に対して大きくたわみ変形するから、両ロール３０、４０の会合点Ａと床面１との間に側面視三角形状のデッドスペースを概ねなくし、両ロール３０、４０を床面１上で概ね隙間なく会合させ得るものとなる。このため、押さえロール３０が押さえた床面１上のゴミを余すことなく掻き上げロール４０との会合点Ａに移送し、その会合点Ａで両ロール３０、４０の間に挟み取り、それら両ロール３０、４０の離隔点Ｂで押さえロール３０が押し出すゴミを掻き上げロール４０にて弾き飛ばして捕集できる。
【００５４】
(h)押さえロール３０の下をすり抜ける薄い紙シート等のゴミは、反対回転中の掻き上げロール４０により押し戻されると、この押し戻された部分を両ロール３０、４０の会合点Ａで直ちに両ロール３０、４０の間に摘みとり、それら両ロール３０、４０の離隔点Ｂで押さえロール３０に押し出され、掻き上げロール４０にて弾き飛ばされて捕集される。
【００５５】
(i)筒状スポンジからなる押さえロール３０が、床面１の凹凸の全面に隙間なく倣うようにやわらかく変形して該凹凸床面内のゴミを押さえ、又は床面上の大きなゴミに対してはやわらかくへこんでこれを包むようにして該大きなゴミを押さえ、それらのゴミを掻き上げロール４０との会合点Ａの側に確実に移送できる。
【００５６】
(j)筒状スポンジからなる押さえロール３０は、髪の毛等のゴミが表面にからみつき、これに接する粘着ロール７０に粘着させて回収できる。押さえロール３０がブラシからなるときには、髪の毛等がブラシの芯にからみついて除去困難になる。
【００５７】
(k)筒状スポンジからなる押さえロール３０は、粘着ロール７０を支えてこれを確実に連れ回りさせることができる。押さえロール３０がブラシからなるときには、粘着ロール７０の重量によりブラシが座屈し、粘着ロール７０を連れ回りさせることができない。
【００５８】
尚、清掃具１０にあっては、塵取部５０のゴミ受け部５１が掻き上げロール４０の外周に沿って高く立上がる下ゴミ止め部５２と、押さえロール３０の外周に近接して粘着ロール７０の側を完全に遮断する上ゴミ止め部５３を備え、ゴミ送り込み口５４から後蓋５５の側に渡るゴミ受け空間の全域を閉塞状にするから、押さえロール３０及び掻き上げロール４０が弾き飛ばすゴミの捕集性が良い。
【００５９】
また、清掃具１０にあっては、前輪２１の回転軸２１Ａに押さえロール３０を直に結合するものに限らず、前輪２１と押さえロール３０の間に増速ギアを介するものでも良い。また、押さえロール３０は前輪２１の回転力を駆動源とするものに限らず、他の駆動源により回転せしめられるものでも良い。
【００６０】
（実施例２）
清掃具１１０は、床面等の清掃面上のゴミ、例えば大粒、小粒の粒ゴミ、又はカーペット等の繊維に絡み付いた髪の毛等のゴミを捕集するものであり、図１６〜図１９に示す如く、柄１１１の先端部に左右揺動軸１１２を介して支持アーム１１３を清掃方向に交差する左右方向に揺動自在に結合し、支持アーム１１３の両側アーム部１１３Ａに前後揺動軸１１４を介してフレーム１１５を清掃方向に沿う前後方向に揺動自在に支持している。
【００６１】
フレーム１１５の清掃方向に沿う前部には可撓掻き上げ体１１６（清掃ロール）が回動自在に支持され、フレーム１１５の清掃方向に沿う後部には接触回転体１１８（清掃ロール）が回動自在に支持され、掻き上げ体１１６と接触回転体１１８は平行に並べられて配置される。
【００６２】
掻き上げ体１１６は、回転軸１１６Ａと、回転軸１１６Ａの軸方向の全長に渡って植設されたブラシからなる掻き上げ部１１６Ｂと、回転軸１１６Ａの両端部に結合された両側の増速タイヤ１１７（変速タイヤ）からなる。掻き上げ部１１６Ｂは粘着ロール１２１に接触しても、接触しなくても良い。両側のタイヤ１１７は該タイヤ１１７にゴミがかみ込まないようにフレーム１１５の両外側に配置されるが、フレーム１１５の内側に設けても良い。
【００６３】
接触回転体１１８は、粘着ロール１２１のための駆動手段であり、回転軸１１８Ａと、回転軸１１８Ａの軸方向の両端側２位置（軸方向３位置等の複数位置でも可）に固定される円盤状の回転子１１８Ｂと、回転軸１１８Ａの両端部に結合された両側の増速タイヤ１１９（変速タイヤ）からなる。回転子１１８Ｂは粘着ロール１２１に接触する。両側のタイヤ１１９はフレーム１１５の両外側に配置される。
【００６４】
掻き上げ体１１６の掻き上げ部と接触回転体１１８の回転子１８Ｂの上には、それらに跨がる粘着ロール１２１が乗せられて載置され、粘着ロール１２１は掻き上げ体１１６と接触回転体１１８の回転に連れ回る。粘着ロール１２１は、粘着シートの巻取りロールの構成、又は表面が粘着性のエラストマーからなり、その表面を洗浄して再使用可能とする構成等を含む。本実施例の粘着ロール１２１は、粘着シート１２１Ａをコア１２１Ｂに巻き回し、粘着シート１２１Ａの粘着面を外側に向けて巻出し可能かつ切断可能にした巻取りロールにて構成される。
【００６５】
フレーム１１５における掻き上げ体１１６の掻き上げ部１１６Ｂの後部には塵取部１２３が支持されている。塵取部１２３は、フレーム１１５に着脱可能にされ、接触回転体１１８の回転子１１８Ｂの下方の前後に渡る範囲に延在されて透明材料からなるトレイ状のゴミ受け部１２４と、ゴミ受け部１２４の前縁側に設けられて掻き上げ体１１６の掻き上げ部１１６Ｂの全巾に沿って隙間なく（又は隙間を介して）相対するゴミすくい部１２５とを備える。
【００６６】
清掃具１１０は、フレーム１１５における掻き上げ体１１６と接触回転体１１８の上部に粘着ロールホルダ１３０を設け、掻き上げ体１１６と接触回転体１１８の上に粘着ロール１２１を載置する。粘着ロール１２１は、粘着ロールホルダ１３０の後述する両ロール支軸１３３、１３４に径方向遊びをもってセットされながら、掻き上げ体１１６と接触回転体１１８の上に載置され、掻き上げ体１１６と接触回転体１１８の回転に連れ回りつつ、掻き上げ体１１６と接触回転体１１８（被清浄部）の表面に巻き付いた髪の毛等のゴミを粘着捕捉して清浄化する。
【００６７】
粘着ロールホルダ１３０は、図２０、図２１に示す如く、フレーム１１５の前方寄り上面で清掃方向に直交する横方向において、掻き上げ体１１６と接触回転体１１８に相並ぶ範囲に渡る、概ね矩形枠状をなす窓枠１３１を設け、この窓枠１３１の左右両側部内面に回転カバー１３２を回転可能に設ける。回転カバー１３２は、半円弧状段面又はＵ字状断面等の透明材料からなる略半割筒状体をなし、両側壁を有する。回転カバー１３２の左右一方の側壁に固定側ロール支軸１３３を設けるとともに、左右他方の側壁にスライド側ロール支軸１３４を設け、両ロール支軸１３３、１３４に粘着ロール１２１のコア１２１Ｂを回転自在に支持する。
【００６８】
粘着ロールホルダ１３０にあっては、固定側ロール支軸１３３が回転カバー１３２の一方の側壁にねじ１３５により固定される。また、スライダ側ロール支軸１３４は、スライドプレート１３６、コイルばね１３７、スペーサ１３８を挿入後、ねじ１３９により回転カバー１３２の他方の側壁に固定される。
【００６９】
粘着ホルダ１３０は、掻き上げ体１１６及び接触回転体１１８と粘着ロール１２１をフレーム１１５に支持された状態を維持してそれらの掻き上げ体１１６及び接触回転体１１８と粘着ロール１２１の接触状態と非接触状態を切り替える隔離手段を構成する。具体的には、粘着ロールホルダ１３０は、回転カバー１３２の両側壁の外面に突設させた左右の回転支軸１４１、１４２を、窓枠１３１の左右両側部に設けた軸孔１４１Ａ、１４２Ａに嵌合し、回転カバー１３２をそれらの回転支軸１４１、１４２まわりで開閉回転できる。このとき、回転カバー１３２の回転支軸１４１、１４２を、ロール支軸１３３、１３４に対し偏芯させる。回転カバー１３２の後述する閉じ状態（図１８）で、回転支軸１４１、１４２よりも、ロール支軸１３３、１３４を掻き上げ体１１６と接触回転体１１８に近づける（回転支軸１４１、１４２が掻き上げ体１１６、接触回転体１１８に対する距離よりも、ロール支軸１３３、１３４が掻き上げ体１１６、接触回転体１１８に対する距離を小さくする）。これにより、回転カバー１３２の回転時に、回転カバー１３２が掻き上げ体１１６、接触回転体１１８に干渉しない。
【００７０】
回転カバー１３２は、図１６、図１８に示す如く、回転カバー１３２の半円弧状断面又はＵ字状断面等の半割断面の前縁フランジ１３２Ａ（磁石１５０を具備する）を窓枠１３１の前部上縁の鉄板１５１に当接する閉じ位置に位置付けられた状態で、窓枠１３１を閉じ、両ロール支軸１３３、１３４に支持されている粘着ロール１２１を覆い、掻き上げ体１１６及び接触回転体１１８と粘着ロール１２１を接触状態にする。他方、図１７、図１９に示す如く、回転カバー１３２の前縁フランジ１３２Ａを窓枠１３１の後部上縁の鉄板１５２に当接する開き位置に位置付けられた状態で、窓枠１３１を開き、回転カバー１３２を掻き上げ体１１６、接触回転体１１８と粘着ロール１２１の間に介在して粘着ロール１２１を外界に臨ませ、掻き上げ体１１６及び接触回転体１１８と粘着ロール１２１を非接触状態にし、両支軸１３３、１３４に新旧粘着ロール１２１のコア１２１Ｂを着脱し、又は両ロール支軸１３３、１３４にセットされている粘着ロール１２１の使用済粘着シート１２１Ａを剥離除去可能にする。即ち、回転カバー１３２は閉じ位置から開き位置へ移行するとき、回転カバー１３２の前縁フランジ１３２Ａと反対側の後縁部を掻き上げ体１１６、接触回転体１１８の上方に通過させ、これによって掻き上げ体１１６、接触回転体１１８と粘着ロール１２１の間に介在する。これにより、回転カバー１３２を開き状態にして、両支軸１３３、１３４にセットされている粘着ロール１２１の粘着シート１２１Ａの使用済の１周巻き分を剥離除去しようとするとき、粘着シート１２１Ａを掻き上げ体１１６、接触回転体１１８の外周に粘着させずにスムースに剥離できる。粘着シート１２１Ａの剥離端は、回転カバー１３２の前縁又は後縁のエッジを用いて切断できる。
【００７１】
粘着ロールホルダ１３０は、粘着ロール１２１を両ロール支軸１３３、１３４にセットした状態で、図２０に示す如く、スライドプレート１３６をコイルばね１３７によりスライド側ロール支軸１３４の自由端フランジ側に押付け、スライドプレート１３６とこれに相対する窓枠１３１の一方の側壁との間隔を小さくし、粘着ロール１２１がスライド側ロール支持１３４から外れる軸方向ずれを防止する。他方、粘着ロール１２１を両ロール支軸１３３、１３４から外すときには、図２１に示す如く、粘着ロール１２１をスライドプレート１３６の側に押す（Ｐ1）ことで、コイルばね１３７を圧縮し、スライドプレート１３６を窓枠１３１の他方の側壁の側にスライドさせ、スライドプレート１３６とこれに相対する窓枠１３１の一方の側壁との間隔を大きくし、固定側ロール支軸１３３側の粘着ロール１２１の一端を持ち上げる（Ｐ2）ことで、粘着ロール１２１を外す（粘着ロール１２１を両ロール支軸１３３、１３４に取付ける場合も同じ）。
【００７２】
清掃具１０による清掃動作は以下の通りなされる。
(1)柄１１１の軸方向に加える操作力によりフレーム１１５を介して掻き上げ体１１６のタイヤ１１７及び接触回転体１１８のタイヤ１１９を床面に加圧しながら清掃具１０を前進させ、掻き上げ体１１６及び接触回転体１１８を回動させ、同時に粘着ロール１２１を連れ回り回転させる。
【００７３】
(2)掻き上げ体１１６の掻き上げ部１１６Ｂが床面上のゴミを掻き上げると、このゴミは塵取部１２３のゴミすくい部１２５にガイドされて粘着ロール１２１の側に送り出され、粘着ロール１２１の粘着面に吸着捕捉される。大きなゴミはゴミすくい部１２５からゴミ受け部１２４に送り込まれて捕捉される。
【００７４】
(3)粘着ロール１２１の粘着面の全周に多量のゴミが捕捉されたことが視認されたら、粘着ロールホルダ１３０の回転カバー１３２を開き、粘着シート１２１Ａの１周分を剥離切断除去し、新規粘着面を露出せしめる。
【００７５】
(4)塵取部１２３のゴミ受け部１２４に多量のゴミがたまったことを視認したら、塵取部１２３をフレーム１１５から外し、ゴミ受け部１２４のゴミを廃棄する。
【００７６】
尚、清掃具１０は前進だけでなく、後進もできる。
本実施例によれば以下の作用効果を奏する。
(a)清掃具１１０に粘着ロール１２１を取付けたまま、粘着ロール１２１の使用済粘着シート１２１Ａを剥離除去するに際しては、粘着ロールホルダ１３０の回転カバー１３２を開き位置に位置付けることにより、回転カバー１３２を掻き上げ体１１６、接触回転体１１８と粘着ロール１２１の間に介在させ、粘着ロール１２１を掻き上げた１１６と接触回転体１１８から離して外界に臨ませる。
【００７７】
粘着ロール１２１のシート端を引張れば、粘着ロール１２１はロール支軸１３３、１３４に対して回転し、１周巻き分の使用済粘着シート１２１Ａを剥離除去できる。このとき、粘着ロール１２１は、回転カバー１３２の介在により掻き上げ体１１６、接触回転体１１８から隔離されており、スムースに回転できるから、使用済粘着シート１２１Ａの剥離除去性は良い。
【００７８】
(b)カバー１３２をフレーム１１５に対して回転させることにより、粘着ロール１２１を清掃具１１０に取付けたまま簡易に掻き上げ体１１６と接触回転体１１８に対し非接触にして外界に臨ませることができる。
【００７９】
(c)回転カバー１３２に設けられる粘着ロール１２１のロール支軸１３３、１３４を、回転カバー１３２の回転支軸１４１、１４２に対して偏心させた。これにより、回転カバー１３２を回転させることにより、粘着ロール１２１を掻き上げ体１１６と接触回転体１１８に対し非接触にして外界に臨ませることができる。
【００８０】
(d)回転カバー１３２の相対する側壁の一方に固定側ロール支軸１３３を設け、他方にスライド側ロール支軸１３４を設け、粘着ロール１２１の端面に当たってスライドできるスライドプレート１３６をスライド側ロール支軸１３４に設けたから、粘着ロール１２１を安定確実に着脱できる。
【００８１】
（実施例３）
清掃具１１０Ａが図１６〜図２１の清掃具１１０と異なる点は、粘着ロールホルダ１３０に代わる粘着ロールホルダ２００を、フレーム１１５に対し上下に平行移動するものとしたことにある。
【００８２】
粘着ロールホルダ２００は、図２２、図２３に示す如く、フレーム１１５の窓枠１３１の左右両側部内面の上下方向にガイド溝２０１を延在し、カバー２０２の左右両側部に設けたガイドレール２０３をガイド溝２０１に沿ってスライド自在にし、カバー２０２をフレーム１１５に対し上下に平行移動可能にする。ガイドレール２０３は上下２箇所にロック溝２０３Ａ、２０３Ｂを設け、ガイド溝２０１側に設けたバネ２０４で付勢されているボール２０５をロック溝２０３Ａ、２０３Ｂに選択的に入れることで、カバー２０２を窓枠１３１から上昇させた開き位置と窓枠１３１上に下降させた閉じ位置にロックできる。カバー２０２は、左右両側部の内面にロール支軸２０２Ａ、２０２Ｂを備え、両ロール支軸２０２Ａ、２０２Ｂに、粘着ロール１２１のコア１２１Ｂを回転自在に支持し、かつ着脱自在にする。
【００８３】
粘着ロールホルダ２００は、粘着ロールホルダ１３０と同様に、掻き上げ体１１６及び接触回転体１１８と粘着ロール１２１をフレーム１１５に支持された状態を維持してそれらの掻き上げ体１１６及び接触回転体１１８と粘着ロール１２１の接触状態と非接触状態を切り替える隔離手段を構成する。具体的には、カバー２０２を閉じた状態で、掻き上げ体１１６及び接触回転体１１８と粘着ロール１２１を接触状態にする。他方、カバー２０２を開いた状態で、粘着ロール１２１を外界に臨ませ、掻き上げ体１１６及び接触回転体１１８と粘着ロール１２１を非接触状態にし、両支軸２０２Ａ、２０２Ｂに新旧粘着ロール１２１のコア１２１Ｂを着脱し、又は両ロール支軸２０２Ａ、２０２Ｂにセットされている粘着ロール１２１の使用済粘着シート１２１Ａを剥離除去可能にする。
【００８４】
本実施例によれば、カバー２０２をフレーム１１５に対して平行移動させることにより、粘着ロール１２１を清掃具１１０Ａに取付けたまま簡易に外界に臨ませることができ、実施例２の作用効果と同一の作用効果を奏する。
【００８５】
（実施例４）
清掃具１１０Ｂが図１６〜図２１の清掃具１１０と異なる点は、粘着ロールホルダ１３０に代わる粘着ロールホルダ３００を、フレーム１１５に対し揺動（回転）するものとしたことにある。
【００８６】
粘着ロールホルダ３００は、図２４に示す如く、フレーム１１５の窓枠１３１の左右一側部にカバー３０１の基端部を揺動（回転）自在に枢支し、カバー３０１をフレーム１１５に対し揺動（回転）可能にし、カバー３０１を窓枠１３１から起立させた開き位置と窓枠１３１上に伏せた閉じ位置にロック可能にする。カバー３０１は、基端部と先端部の内面にロール支軸３０１Ａ、３０１Ｂを備え、両ロール支軸３０１Ａ、３０１Ｂに、粘着ロール１２１のコア１２１Ｂを回転自在に支持し、かつ着脱自在にする。
【００８７】
粘着ロールホルダ３００は、粘着ロールホルダ１３０と同様に、掻き上げ体１１６及び接触回転体１１８と粘着ロール１２１をフレーム１１５に支持された状態を維持してそれらの掻き上げ体１１６及び接触回転体１１８と粘着ロール１２１の接触状態と非接触状態を切り替える隔離手段を構成する。具体的には、カバー３０１を閉じた状態で、掻き上げ体１１６及び接触回転体１１８と粘着ロール１２１を接触状態にする。他方、カバー３０１を開いた状態で、粘着ロール１２１を外界に臨ませ、掻き上げ体１１６及び接触回転体１１８と粘着ロール１２１を非接触状態にし、両ロール支軸３０１Ａ、３０１Ｂに新旧粘着ロール１２１のコア１２１Ｂを着脱し、又は両ロール支軸３０１Ａ、３０１Ｂにセットされている粘着ロール１２１の使用済粘着シート１２１Ａを剥離除去可能にする。
【００８８】
本実施例によれば、カバー３０１をフレーム１１５に対して回転（揺動）させることにより、粘着ロール１２１を清掃具１１０Ｂに取付けたまま簡易に外界に臨ませることができ、実施例２の作用効果と同一の作用効果を奏する。
【００８９】
（実施例５）
図２５の清掃装置４００は、搬送ベルト装置４０１の搬送ベルト４０２（被清浄部）の表面を粘着ロール４２０により清浄化するものである。
【００９０】
搬送ベルト装置４０１は、架台４０１Ａに設けた駆動車４０３、従動車４０４、テンション付与部４０５に搬送ベルト４０２を巻き回し、モータ４０６により駆動車４０３を駆動することにより搬送ベルト４０２を循環させるものである。
【００９１】
清掃装置４００は、架台４０１Ａの従動車４０４寄り上部にフレーム４１０を固定し、このフレーム４１０の上面の窓枠４１１の前方一側部にカバー４１２を回転自在に枢支し、カバー４１２の左右両側部内面に設けたロール支軸４１３に粘着ロール４２０を回転自在に支持し、かつ着脱自在にする。粘着ロール４２０は、粘着シート４２１の巻取ロールからなり、粘着シート４２１は搬送ベルト４０２の全幅をこえる広幅をなす。
【００９２】
カバー４１２は、フレーム４１０の窓枠４１１に対して開閉回転し、窓枠４１１を塞ぐ閉じ位置で、粘着ロール４２０の粘着シート４２１を外界に対して覆うとともに、粘着シート４２１を搬送ベルト４０２の表面に接触させ、粘着ロール４２０を搬送ベルト４０２の移動に連れ回り回転させる。これにより、搬送ベルト４０２の表面のゴミを粘着シート４２１により捕捉除去可能にする（図２５（Ａ））。他方、カバー４１２は、窓枠４１１を開く開き位置で、粘着ロール４２０を外界に臨ませ、両ロール支軸４１３に新旧粘着ロール４２０を着脱し、又は両ロール支軸４１３にセットされている粘着ロール４２０の使用済粘着シート４２１を剥離除去可能にする（図２５（Ｂ））。
【００９３】
本実施例によれば、以下の作用効果を奏する。
(a)清掃装置４００に粘着ロール４２０を取付けたまま、粘着ロール４２０の使用済粘着シート４２１を剥離除去するに際しては、カバー４１２を開き位置に位置付けることにより、粘着ロール４２０を外界に臨ませる。粘着ロール４２０のシート端を引張れば、粘着ロール４２０はロール支軸４１３に対して回転し、１周巻き分の使用済粘着シート４２１を剥離除去できる。このとき、粘着ロール４２０は、外界に臨んでいてスムースに回転できるから、使用済粘着シート４２１の剥離除去性は良い。
【００９４】
(b)カバー４１２をフレーム４１０に対して回転させることにより、粘着ロール４２０を清掃装置４００に取付けたまま簡易に外界に臨ませることができる。
【産業上の利用可能性】
【００９５】
本発明によれば、清掃装置に粘着ロールを取付けたまま、粘着ロールの使用済粘着シートを剥離除去可能にすることができる。
【符号の説明】
【００９６】
１０、１１０、１１０Ａ、１１０Ｂ  清掃具（清掃装置）
１５、１１５  フレーム
３０  押さえロール（清掃ロール）
４０  掻き上げロール（清掃ロール）
６０  粘着ロールホルダ（隔離手段）
６２、１３２、２０２、３０１  カバー
６３、６４、１３３、１３４  ロール支軸
６８、１３６  スライドプレート
７０、１２１  粘着ロール
１１６  掻き上げ体（清掃ロール）
１１８  接触回転体（清掃ロール）
１３０  粘着ロールホルダ（隔離手段）
４００  清掃装置
４１０  フレーム
４１２  カバー
４２０  粘着ロール
【図１】
2010188215.tif 000003
【図２】
2010188215.tif 000004
【図３】
2010188215.tif 000005
【図４】
2010188215.tif 000006
【図５】
2010188215.tif 000007
【図６】
2010188215.tif 000008
【図７】
2010188215.tif 000009
【図８】
2010188215.tif 000010
【図９】
2010188215.tif 000011
【図１０】
2010188215.tif 000012
【図１１】
2010188215.tif 000013
【図１２】
2010188215.tif 000014
【図１３】
2010188215.tif 000015
【図１４】
2010188215.tif 000016
【図１５】
2010188215.tif 000017
【図１６】
2010188215.tif 000018
【図１７】
2010188215.tif 000019
【図１８】
2010188215.tif 000020
【図１９】
2010188215.tif 000021
【図２０】
2010188215.tif 000022
【図２１】
2010188215.tif 000023
【図２２】
2010188215.tif 000024
【図２３】
2010188215.tif 000025
【図２４】
2010188215.tif 000026
【図２５】
2010188215.tif 000027